【手続補正書】
【提出日】平成19年5月23日(2007.5.23)
【手続補正１】
【補正対象書類名】特許請求の範囲
【補正対象項目名】請求項１
【補正方法】変更
【補正の内容】
【請求項１】
遊技機での遊技に関連して発生する遊技関連情報に基づいて生成される閲覧用遊技情報を、会員登録を行った遊技者であって該遊技者を個々に特定可能な会員識別情報が記録された会員遊技者特定記録媒体を所有する会員遊技者、又は該会員登録を行っていない遊技者である非会員遊技者に対して公開するための遊技用システムであって、
前記遊技関連情報を各遊技機を個々に特定可能な遊技機識別情報と対応付けて各遊技機毎の遊技機別遊技関連情報として記憶する遊技機別遊技関連情報記憶手段と、前記会員遊技者による遊技に関連して発生する前記遊技関連情報を前記会員識別情報と対応付けて各会員遊技者毎の会員個別遊技関連情報として記憶する会員個別遊技関連情報記憶手段と、前記遊技関連情報を逐次収集する遊技関連情報収集手段と、該遊技関連情報収集手段により収集された遊技関連情報に基づいて前記遊技機別遊技関連情報記憶手段に記憶されている遊技機別遊技関連情報を逐次更新する遊技関連情報更新手段と、を備える管理装置と、
該管理装置と通信可能であり、前記会員遊技者特定記録媒体を受け付ける会員遊技者特定記録媒体受付手段と、前記遊技機別遊技関連情報及び／又は前記会員個別遊技関連情報に基づいて生成される各種の閲覧用遊技情報を表示する表示手段と、該各種の閲覧用遊技情報から前記表示手段に表示する情報を遊技者が指定するための表示情報指定手段と、該表示情報指定手段により指定された閲覧用遊技情報を特定可能な情報を前記管理装置に通知する指定情報通知手段と、を備える遊技用装置と、
前記会員遊技者特定記録媒体受付手段により前記会員遊技者特定記録媒体が受け付けられていることに基づいて、前記会員遊技者に対して、前記遊技機別遊技関連情報に基づいて生成される閲覧用遊技情報及び前記会員個別遊技関連情報に基づいて生成される閲覧用遊技情報の公開を許容するか、又は前記遊技機別遊技関連情報に基づいて生成される閲覧用遊技情報の公開のみを許容するかを設定するための会員遊技者用公開情報設定手段と、
前記会員遊技者特定記録媒体受付手段により前記会員遊技者特定記録媒体が受け付けられていないことに基づいて、前記非会員遊技者に対して、前記遊技機別遊技関連情報に基づいて生成される閲覧用遊技情報の公開のみを許容するか、又は閲覧用遊技情報の公開を許容しないかを設定するための非会員遊技者用公開情報設定手段と、
からなり、
前記管理装置は、前記指定情報通知手段からの通知に基づいて、前記指定された閲覧用遊技情報を通知元の遊技用装置に送信すると共に、前記遊技機別遊技関連情報に基づいて生成される閲覧用遊技情報が指定された旨の通知を受信したときに、前記送信した閲覧用遊技情報以外の情報が指定された旨の通知を受信するまでの間、前記遊技関連情報更新手段により更新された遊技機別遊技関連情報に基づいて生成された閲覧用遊技情報を通知元の遊技用装置に対して継続的に送信する閲覧用遊技情報送信手段を備え、
前記遊技用装置は、前記会員遊技者用公開情報設定手段及び前記非会員遊技者用公開情報設定手段による設定に応じて、前記会員遊技者特定記録媒体の受付中及び非受付中における前記表示手段に表示する表示内容の表示制御を行い、前記閲覧用遊技情報送信手段から送信されてきた閲覧用遊技情報を表示させる表示制御を行うと共に、該閲覧用遊技情報を受信する毎に前記表示手段の表示内容を更新する表示制御を行う表示制御手段を備えることを特徴とする遊技用システム。
【手続補正２】
【補正対象書類名】特許請求の範囲
【補正対象項目名】請求項４
【補正方法】変更
【補正の内容】
【請求項４】
遊技機での遊技に関連して発生する遊技関連情報に基づいて生成される閲覧用遊技情報を、会員登録を行った遊技者であって該遊技者を個々に特定可能な会員識別情報が記録された会員遊技者特定記録媒体を所有する会員遊技者、又は該会員登録を行っていない遊技者である非会員遊技者に対して公開するための遊技用システムであって、
前記遊技関連情報を各遊技機を個々に特定可能な遊技機識別情報と対応付けて各遊技機毎の遊技機別遊技関連情報として記憶する遊技機別遊技関連情報記憶手段と、前記会員遊技者による遊技に関連して発生する前記遊技関連情報を前記会員識別情報と対応付けて各会員遊技者毎の会員個別遊技関連情報として記憶する会員個別遊技関連情報記憶手段と、前記遊技関連情報を逐次収集する遊技関連情報収集手段と、該遊技関連情報収集手段により収集された遊技関連情報に基づいて前記遊技機別遊技関連情報記憶手段に記憶されている遊技機別遊技関連情報を逐次更新する遊技関連情報更新手段と、を備える管理装置と、
該管理装置と通信可能であり、前記会員遊技者特定記録媒体を受け付ける会員遊技者特定記録媒体受付手段と、前記遊技機別遊技関連情報及び／又は前記会員個別遊技関連情報に基づいて生成される各種の閲覧用遊技情報を表示する表示手段と、該各種の閲覧用遊技情報から前記表示手段に表示する情報を遊技者が指定するための表示情報指定手段と、該表示情報指定手段により指定された閲覧用遊技情報を特定可能な情報を前記管理装置に通知する指定情報通知手段と、を備える遊技用装置と、
前記会員遊技者特定記録媒体受付手段により前記会員遊技者特定記録媒体が受け付けられていることに基づいて、前記会員遊技者に対して、前記遊技機別遊技関連情報に基づいて生成される閲覧用遊技情報及び前記会員個別遊技関連情報に基づいて生成される閲覧用遊技情報の公開を許容するか、又は前記遊技機別遊技関連情報に基づいて生成される閲覧用遊技情報の公開のみを許容するかを設定するための会員遊技者用公開情報設定手段と、
前記会員遊技者特定記録媒体受付手段により前記会員遊技者特定記録媒体が受け付けられていないことに基づいて、前記非会員遊技者に対して、前記遊技機別遊技関連情報に基づいて生成される閲覧用遊技情報の公開のみを許容するか、又は閲覧用遊技情報の公開を許容しないかを設定するための非会員遊技者用公開情報設定手段と、
からなり、
前記管理装置は、前記指定情報通知手段からの通知に基づいて、前記指定された閲覧用遊技情報を生成するための情報であって、前記遊技機別遊技関連情報及び／又は前記会員個別遊技関連情報に基づいて生成された加工用遊技情報を通知元の遊技用装置に送信すると共に、前記遊技機別遊技関連情報に基づいて生成される閲覧用遊技情報が指定された旨の通知を受信したときに、該通知された閲覧用遊技情報以外の情報が指定された旨の通知を受信するまでの間、前記遊技関連情報更新手段により更新された遊技機別遊技関連情報に基づいて生成された加工用遊技情報を通知元の遊技用装置に対して継続的に送信する加工用遊技情報送信手段を備え、
前記遊技用装置は、
該加工用遊技情報送信手段から送信されてきた加工用遊技情報を受信する毎に、該受信した加工用遊技情報に基づいて前記閲覧用遊技情報を生成する閲覧用遊技情報生成手段と、
前記会員遊技者用公開情報設定手段及び前記非会員遊技者用公開情報設定手段による設定に応じて、前記会員遊技者特定記録媒体の受付中及び非受付中における前記表示手段に表示する表示内容の表示制御を行い、前記閲覧用遊技情報生成手段により生成された閲覧用遊技情報を表示させる表示制御を行うと共に、該閲覧用遊技情報が生成される毎に前記表示手段の表示内容を更新する表示制御を行う表示制御手段と、を備えることを特徴とする遊技用システム。
【手続補正３】
【補正対象書類名】明細書
【補正対象項目名】０００９
【補正方法】変更
【補正の内容】
【０００９】
まず請求項１に係る発明は、遊技機（パチンコ機１０，スロットマシン１０’）での遊技に関連して発生する遊技関連情報に基づいて生成される閲覧用遊技情報を、会員登録を行った遊技者であって該遊技者を個々に特定可能な会員識別情報（会員番号）が記録された会員遊技者特定記録媒体（会員カード６）を所有する会員遊技者、又は該会員登録を行っていない遊技者である非会員遊技者に対して公開するための遊技用システム（１，１’）であって、前記遊技関連情報を各遊技機を個々に特定可能な遊技機識別情報（台番号）と対応付けて各遊技機毎の遊技機別遊技関連情報として記憶する遊技機別遊技関連情報記憶手段（ハードディスク５３，６３）と、前記会員遊技者による遊技に関連して発生する前記遊技関連情報を前記会員識別情報と対応付けて各会員遊技者毎の会員個別遊技関連情報として記憶する会員個別遊技関連情報記憶手段（ハードディスク６３）と、前記遊技関連情報を逐次収集する遊技関連情報収集手段（通信部５１，６１）と、該遊技関連情報収集手段により収集された遊技関連情報に基づいて前記遊技機別遊技関連情報記憶手段に記憶されている遊技機別遊技関連情報を逐次更新する遊技関連情報更新手段（制御部５２，６２）と、を備える管理装置（中継コンピュータ５０，ホールコンピュータ６０）と、該管理装置と通信可能であり、前記会員遊技者特定記録媒体を受け付ける会員遊技者特定記録媒体受付手段（カードＲ／Ｗ２３，２３’，３３）と、前記遊技機別遊技関連情報及び／又は前記会員個別遊技関連情報に基づいて生成される各種の閲覧用遊技情報を表示する表示手段（ディスプレイ２５，３５）と、該各種の閲覧用遊技情報から前記表示手段に表示する情報を遊技者が指定するための表示情報指定手段（ディスプレイ２５，３５）と、該表示情報指定手段により指定された閲覧用遊技情報を特定可能な情報を前記管理装置に通知する指定情報通知手段（台端末用通信部２１ｂ，通信部３１）と、を備える遊技用装置（カードユニット２０，呼出ランプ装置２０’，情報表示端末３０）と、前記会員遊技者特定記録媒体受付手段により前記会員遊技者特定記録媒体が受け付けられていることに基づいて、前記会員遊技者に対して、前記遊技機別遊技関連情報に基づいて生成される閲覧用遊技情報及び前記会員個別遊技関連情報に基づいて生成される閲覧用遊技情報の公開を許容するか、又は前記遊技機別遊技関連情報に基づいて生成される閲覧用遊技情報の公開のみを許容するかを設定するための会員遊技者用公開情報設定手段（入力装置６４及びディスプレイ６５）と、前記会員遊技者特定記録媒体受付手段により前記会員遊技者特定記録媒体が受け付けられていないことに基づいて、前記非会員遊技者に対して、前記遊技機別遊技関連情報に基づいて生成される閲覧用遊技情報の公開のみを許容するか、又は閲覧用遊技情報の公開を許容しないかを設定するための非会員遊技者用公開情報設定手段（入力装置６４及びディスプレイ６５）と、からなり、前記管理装置は、前記指定情報通知手段からの通知に基づいて、前記指定された閲覧用遊技情報を通知元の遊技用装置に送信すると共に、前記遊技機別遊技関連情報に基づいて生成される閲覧用遊技情報が指定された旨の通知を受信したときに、前記送信した閲覧用遊技情報以外の情報が指定された旨の通知を受信するまでの間、前記遊技関連情報更新手段により更新された遊技機別遊技関連情報に基づいて生成された閲覧用遊技情報を通知元の遊技用装置に対して継続的に送信する閲覧用遊技情報送信手段（通信部５１）を備え、前記遊技用装置は、前記会員遊技者用公開情報設定手段及び前記非会員遊技者用公開情報設定手段による設定に応じて、前記会員遊技者特定記録媒体の受付中及び非受付中における前記表示手段に表示する表示内容の表示制御を行い、前記閲覧用遊技情報送信手段から送信されてきた閲覧用遊技情報を表示させる表示制御を行うと共に、該閲覧用遊技情報を受信する毎に前記表示手段の表示内容を更新する表示制御を行う表示制御手段（制御部２２，２２’，３２’）を備えることを特徴とする遊技用システムである。
【手続補正４】
【補正対象書類名】明細書
【補正対象項目名】００１２
【補正方法】変更
【補正の内容】
【００１２】
また請求項４に係る発明は、遊技機（パチンコ機１０，スロットマシン１０’）での遊技に関連して発生する遊技関連情報に基づいて生成される閲覧用遊技情報を、会員登録を行った遊技者であって該遊技者を個々に特定可能な会員識別情報（会員番号）が記録された会員遊技者特定記録媒体（会員カード６）を所有する会員遊技者、又は該会員登録を行っていない遊技者である非会員遊技者に対して公開するための遊技用システム（１，１’）であって、前記遊技関連情報を各遊技機を個々に特定可能な遊技機識別情報（台番号）と対応付けて各遊技機毎の遊技機別遊技関連情報として記憶する遊技機別遊技関連情報記憶手段（ハードディスク５３，６３）と、前記会員遊技者による遊技に関連して発生する前記遊技関連情報を前記会員識別情報と対応付けて各会員遊技者毎の会員個別遊技関連情報として記憶する会員個別遊技関連情報記憶手段（ハードディスク６３）と、前記遊技関連情報を逐次収集する遊技関連情報収集手段（通信部５１，６１）と、該遊技関連情報収集手段により収集された遊技関連情報に基づいて前記遊技機別遊技関連情報記憶手段に記憶されている遊技機別遊技関連情報を逐次更新する遊技関連情報更新手段（制御部５２，６２）と、を備える管理装置（中継コンピュータ５０，ホールコンピュータ６０）と、該管理装置と通信可能であり、前記会員遊技者特定記録媒体を受け付ける会員遊技者特定記録媒体受付手段（カードＲ／Ｗ２３，２３’，３３）と、前記遊技機別遊技関連情報及び／又は前記会員個別遊技関連情報に基づいて生成される各種の閲覧用遊技情報を表示する表示手段（ディスプレイ２５，３５）と、該各種の閲覧用遊技情報から前記表示手段に表示する情報を遊技者が指定するための表示情報指定手段（ディスプレイ２５，３５）と、該表示情報指定手段により指定された閲覧用遊技情報を特定可能な情報を前記管理装置に通知する指定情報通知手段（台端末用通信部２１ｂ，通信部３１）と、を備える遊技用装置（カードユニット２０，呼出ランプ装置２０’，情報表示端末３０）と、前記会員遊技者特定記録媒体受付手段により前記会員遊技者特定記録媒体が受け付けられていることに基づいて、前記会員遊技者に対して、前記遊技機別遊技関連情報に基づいて生成される閲覧用遊技情報及び前記会員個別遊技関連情報に基づいて生成される閲覧用遊技情報の公開を許容するか、又は前記遊技機別遊技関連情報に基づいて生成される閲覧用遊技情報の公開のみを許容するかを設定するための会員遊技者用公開情報設定手段（入力装置６４及びディスプレイ６５）と、前記会員遊技者特定記録媒体受付手段により前記会員遊技者特定記録媒体が受け付けられていないことに基づいて、前記非会員遊技者に対して、前記遊技機別遊技関連情報に基づいて生成される閲覧用遊技情報の公開のみを許容するか、又は閲覧用遊技情報の公開を許容しないかを設定するための非会員遊技者用公開情報設定手段（入力装置６４及びディスプレイ６５）と、からなり、前記管理装置は、前記指定情報通知手段からの通知に基づいて、前記指定された閲覧用遊技情報を生成するための情報であって、前記遊技機別遊技関連情報及び／又は前記会員個別遊技関連情報に基づいて生成された加工用遊技情報を通知元の遊技用装置に送信すると共に、前記遊技機別遊技関連情報に基づいて生成される閲覧用遊技情報が指定された旨の通知を受信したときに、該通知された閲覧用遊技情報以外の情報が指定された旨の通知を受信するまでの間、前記遊技関連情報更新手段により更新された遊技機別遊技関連情報に基づいて生成された加工用遊技情報を通知元の遊技用装置に対して継続的に送信する加工用遊技情報送信手段（通信部５１）を備え、前記遊技用装置は、該加工用遊技情報送信手段から送信されてきた加工用遊技情報を受信する毎に、該受信した加工用遊技情報に基づいて前記閲覧用遊技情報を生成する閲覧用遊技情報生成手段（制御部２２，２２’，３２）と、前記会員遊技者用公開情報設定手段及び前記非会員遊技者用公開情報設定手段による設定に応じて、前記会員遊技者特定記録媒体の受付中及び非受付中における前記表示手段に表示する表示内容の表示制御を行い、前記閲覧用遊技情報生成手段により生成された閲覧用遊技情報を表示させる表示制御を行うと共に、該閲覧用遊技情報が生成される毎に前記表示手段の表示内容を更新する表示制御を行う表示制御手段（制御部２２，２２’，３２）と、を備えることを特徴とする遊技用システムである。